(57)【要約】【課題】遊技機内部を視認できる状態において、基盤収納ケースの裏側を容易に視認でき、それにより裏側での不正行為を容易に発見し、かつその痕跡を残すこと。【解決手段】遊技機用の回路基盤収納ケースであって、その一側面及びその対向面にそれぞれ設けられた第１及び第２軸部４１，４２が同軸上で対の関係にある。当該軸部４１，４２は上部及び下方軸受部１５１，５２によって回動自在に支持される。回動しない間、基盤収納ケースは蓋３４がされた状態で特殊螺子３６４によって、遊技盤６の裏面６ａに固定される。また第１及び第２軸部４１，４２は、上部及び下方軸受部１５１，５２に比べ、外力が許容以上に掛かると破壊され易くされている。【選択図】  図３
2008148724.tif 000002
【特許請求の範囲】
【請求項１】
遊技機に内蔵されかつ遊技用回路基盤を収納する遊技用回路基盤収納ケースであって、
その一側面に設けられた複数の第１突出部と、
前記一側面の対向面に設けられ、前記複数の第１突出部の各々に対してそれぞれが同軸上に位置し、かつ前記第１突出部と反対方向に突出した状態で対の関係にある複数の第２突出部と、
遊技機内部に固定され、かつ前記複数の第１突出部のうちの一つの第１突出部及びこの第１突出部と対の関係にある前記複数の第２突出部のうちの一つの第２突出部をそれぞれ回動自在に支持する第１支持部及び第２支持部と、
前記遊技用回路基盤収納ケースを遊技機内部の所定位置に固定する固定手段とを備え、
前記複数の第１突出部及び第２突出部は、前記第１支持部及び第２支持部に比べ、外力が許容以上に掛かると破壊され易いことを特徴とする遊技用回路基盤収納ケース。
【請求項２】
前記複数の第１突出部又は前記複数の第２突出部の少なくとも一方は、前記遊技用回路基盤収納ケースとは別体に形成された軸体であり、
この軸体の基端には、当該軸体にその軸方向において前記基端側に外力が加わると前記軸体に反力を生ずる弾性部材が設けられ、
前記第１支持部及び前記第２支持部には、それぞれ第１凹部及び第２凹部が設けられ、
前記対の関係にある第１突出部及び第２突出部において前記別体の軸体として形成された突出部に外力を加えることにより前記弾性部材を圧縮した状態で、当該対の関係にある前記第１突出部及び前記第２突出部をそれぞれ前記第１凹部及び前記第２凹部に対向状態で位置させ、当該位置で前記弾性部材の圧縮状態が解除されると、前記第１突出部及び前記第２突出部の少なくとも一方が前記反力により前記第１凹部又は／及び前記第２凹部に挿入されることを特徴とする請求項１に記載の遊技用回路基盤収納ケース。
【発明の詳細な説明】
【技術分野】
【０００１】
本発明は、スロットマシンやパチンコ機等の遊技機の動作状態を制御する回路基盤を収容する遊技用回路基盤収納ケースに関する。
【背景技術】
【０００２】
コインやパチンコ球等の遊技媒体を用いたパチンコ機やスロットマシン等（以下、遊技機）には、遊技内容を制御するプログラムが記憶されたＲＯＭ（Ｒｅａｄ  Ｏｎｌｙ  Ｍｅｍｏｒｙ）を実装した主制御基盤を有する。主制御基盤は基盤収納ケースに収納された状態で筐体内における遊技盤の裏面に設置されている。主制御基盤を基盤収納ケースに収納することで破損や故障の防止、又はＲＯＭの改竄による遊技媒体の大量の抜き取りその他の不正な行為（以下、不正行為）を防止する。不正行為の多くは、改竄されたＲＯＭを正規のＲＯＭと交換することによって行われる。
【０００３】
そこで、このような不正行為防止のため、ＲＯＭを収納する基盤収納ケースは、一方に開口するケース本体と当該開口から主制御基板を入れた後に前記開口を閉塞する蓋とを有し、当該蓋が特殊螺子によりケース本体に固定されて簡単には明かないようにされたり、不正に蓋が開けられた場合でもその痕跡が残る特殊構造が採用されたりしている。
【０００４】
しかし、近年における不正行為は、一見しただけでは、容易に発見できないように多様化及び狡猾化している。例えばパチンコ遊技機の場合、遊技盤を開けてその裏面に設置されている基盤収納ケースを見ても、簡単にはその痕跡が判らないようにした、通称、”ぶら下がり”といわれる不正行為がある。
【０００５】
ぶら下がりは、遊技盤を開いた状態で基盤収納ケースを見たときにその裏側、すなわち遊技盤と基盤収納ケースとの間にぶら下がり基盤という不正基盤を取り付けることで、その存在が基盤収納ケースに隠れて判らないようにする。
【０００６】
パチンコ遊技機にぶら下がり基盤を設置した場合で説明すると、ぶら下がり基盤は、始動口に設けられているスタートセンサーが始動口に入ったパチンコ球の存在を検知して発する、大当たり引き当てのための内部抽選実行用の信号を一旦取り込み、時間差処理を加えて主制御基盤に不正な信号を送ることで、主制御基盤を誤動作させて大当たりを誘発させるなどの確率コントロールを行う。
【０００７】
なお、ぶら下がり基盤は、スタートセンサーと主制御基盤との間に割り込む形で両者に接続されており、主制御基盤の裏側に直接設けられた場合でも、主制御基盤が収納されている基盤収納ケースに設けられた場合でもぶら下がりに該当する。要するに遊技機を開きその状態で主制御基板が収納されている基盤収納ケースを見ただけでは、その存在がわかりにくい箇所に設置された不正基盤であれば、ぶら下がり基盤に該当する。
【０００８】
ぶら下がりが行われるようになった初期の頃、ぶら下がり基盤は大きく、基盤収納ケースを隠れ蓑にしても比較的容易に発見できた。しかし、その後の技術の進歩により、今日ではぶら下がり基盤が非常に小型化され、以前に比べ発見し難くなっている。
【０００９】
また、基盤収納ケースに収納されている主制御基板を正規のものから不正なものに交換する”基盤すり替え”も知られている。基盤すり替えは、これを行う場合、基盤収納ケースの蓋を開く必要がある。そこで、基盤収納ケースが開かれたことを容易に判断できるように、ケース本体とその蓋の封じ目（境）に封印を掛けるようにし、基盤すり替えがあっ
た場合には封印が破れるので、このことによって不正行為があったことを確認できるようにした技術が周知である。
【００１０】
さらには、基盤収納ケースごと不正基盤を含む基盤収納ケースに取り替える悪質な例もある。この場合の対策として、基盤収納ケースの取替えの痕跡が残るようにした技術が周知である。
【００１１】
このような不正防止の観点からすると、上記のように基盤収納ケースの裏側を簡単に見ることができ、かつ基盤収納ケースに不正の痕跡が残すことができるようにされた不正防止手段が好ましい。
【００１２】
しかしながら、これまでは基盤収納ケースの裏側を確認可能な技術と、基盤収納ケースの蓋を開けたり、基盤収納ケースを不正に取り替えたりするなど基盤収納ケースに不正に手を掛けるとその痕跡が残る技術とを結び付けるのは両者が相反する技術であるため、両者を結びつけることは困難であった。
【特許文献１】特開平９−２２０３３３号公報
【特許文献２】特開２００６−６５３６号公報
【特許文献３】特許第２７４４９６５号公報
【発明の開示】
【発明が解決しようとする課題】
【００１３】
本発明は、上記実情に鑑みてなされたものであり、その解決しようとする課題は、パチンコホールの従業員その他正当な権限をもって処理にあたることを許された者（以下、メンテナンス作業者）が、メンテナンス実行時その他必要な時に遊技機を開きその内部を視認できる状態において、遊技用回路基盤収納ケースの裏側を容易に視認できるようにし、それにより当該ケースの裏側でされている不正行為を発見でき、かつ基盤収納ケースに不正に手を掛けるとその痕跡を残せるようにした技術を提供することにある。
【課題を解決するための手段】
【００１４】
そこで本発明は次の手段を採用した。
すなわち、本発明は、遊技機に内蔵されかつ遊技用回路基盤を収納する遊技用回路基盤収納ケースであって、その一側面に設けられた複数の第１突出部と、前記一側面の対向面に設けられ、前記複数の第１突出部の各々に対してそれぞれが同軸上に位置し、かつ前記第１突出部と反対方向に突出した状態で対の関係にある複数の第２突出部と、遊技機内部に固定され、かつ前記複数の第１突出部のうちの一つの第１突出部及びこの第１突出部と対の関係にある前記複数の第２突出部のうちの一つの第２突出部をそれぞれ回動自在に支持する第１支持部及び第２支持部と、前記遊技用回路基盤収納ケースを遊技機内部の所定位置に固定する固定手段とを備え、前記複数の第１突出部及び第２突出部は、前記第１支持部及び第２支持部に比べ、外力が許容以上に掛かると破壊され易いことを特徴とする。
【００１５】
本発明にあっては、遊技用回路基盤収納ケース（以下、基盤収納ケース）の前記一つの第１突出部及び前記一つの第２突出部を第１軸受部及び第２軸受部で軸支する。よって、固定手段による固定を解除すると、基盤収納ケースは回動できるようになる。但し、通常は、固定手段により基盤収納ケースは固定されているので回動しない。固定手段としては、例えばボルト＆ナット、螺子等の締結具や、鍵付きのピン等を挙げられる。そしてこれら締結具等は、専用の工具や鍵を用いなければ機能しない特殊なものが好適である。
【００１６】
遊技用回路基盤に対する不正行為の有無を確認するには、固定手段により基盤収納ケースの固定状態を解除する。当該固定状態を解除したら、第１軸受部に軸支されている第１突出部及び第２軸受部に軸支されている第２突出部を回動軸として、基盤収納ケースが、
回動できるようになる。なお回動の起点となる遊技機内部の所定位置としては、基盤収納ケースが遊技盤の裏面に当接されて取り付けられている箇所を挙げられる。
【００１７】
基盤収納ケースを回動できるので、基盤収納ケースが固定された状態では見ることが出来なかった基盤収納ケースの裏側（換言すると、メンテナンス作業者が、遊技機を開いた状態であって、前記固定手段により基盤収納ケースが遊技機に固定された状態をメンテナンス作業者が見た場合における基盤収納ケースの向こう側）であっても、メンテナンス作業者が、基盤収納ケースの固定状態を解除すれば、メンテナンス作業者が見易い位置に基盤収納ケースを回動するだけの簡単な操作で基盤収納ケースの裏側であっても見ることができる。したがって、不正行為の有無を容易に確認できる。
【００１８】
また、第１突出部や第２突出部が破壊されたとしても、これら突出部は複数対あるため、破壊されていない別の対関係にある突出部を利用すれば、基盤収納ケースを遊技盤の裏面に再度取り付けることができ、再利用を図れる。換言すると対の関係にある第１突出部及び第２突出部が少なくとも一対あって、ケースの本体が破壊されていなければ、基盤収納ケースを新しいものに取替えする必要がなく、継続して利用することができる。したがって、メンテナンス費用を安く抑えることができる。
【００１９】
さらに、第１突出部及び第２突出部が対になって複数設けられているので、それらの内から対の関係にない第１突出部又は第２突出部を数えれば、不正行為の実行回数もわかる。反対に対の関係にある第１突出部又は第２突出部を数えれば、再利用可能回数がわかる。
【００２０】
加えて破壊された突出部の多寡により、不正行為が行われ易い遊技機であるか否かを推測できる。
【００２１】
さらにまた、第１突出部及び第２突出部が、第１軸受部及び第２軸受部に比べて破壊し易くされていることが好ましい。例えば、各突出部は、各軸受部との比較上、破壊され易い材質でできていることが好ましい。例えば当該突出部の材質は、当該軸受部の材質よりも、せん断強さの値乃至アイゾット衝撃強さの値で低い場合を挙げられる。
【００２２】
そして材質によらずに第１突出部及び第２突出部の形状を工夫することによって、破壊され易くしてもよい。例えば、第１突出部及び第２突出部を中空円筒体形状にしたり、又はこれら突出部に外力が加わったときに当該突出部に集中応力を生じ易くなるような形状にしたりすることが考えられる。例えば、棒状の外周面に切欠き溝を設けたものを挙げられる。
【００２３】
加えて、前記複数の第１突出部又は前記複数の第２突出部の少なくとも一方は、前記遊技用回路基盤収納ケースとは別体に形成された軸体であり、この軸体の基端には、当該軸体にその軸方向において前記基端側に外力が加わると前記軸体に反力を生ずる弾性部材が設けられ、前記第１支持部及び前記第２支持部には、それぞれ第１凹部及び第２凹部が設けられ、前記対の関係にある第１突出部及び第２突出部において前記別体の軸体として形成された突出部に外力を加えることにより前記弾性部材を圧縮した状態で、当該対の関係にある前記第１突出部及び前記第２突出部をそれぞれ前記第１凹部及び前記第２凹部に対向状態で位置させ、当該位置で前記弾性部材の圧縮状態が解除されると、前記第１突出部及び前記第２突出部の少なくとも一方が前記反力により前記第１凹部又は／及び前記第２凹部に挿入されるようになっていることが望ましい。
【００２４】
ここで弾性部材とは、外力によって、形や体積に変化を生じる部材であって、力を取り去ると再びもとの状態に回復する力を有する部材をいい、圧縮スプリングが好適である。
弾性部材に圧縮スプリングを適用した場合について述べると、第１突出部及び第２突出部を、それぞれ第１軸受部及び第２軸受部に軸支するには、第１突出部又は第２突出部の少なくとも一方に設けられている圧縮スプリングに力を加えて圧縮させ、これにより、第１突出部又は第２突出部をそれらの突出方向と反対方向に指で押しやる。
【００２５】
その場合、圧縮スプリングには弾発力を生じ、指には反力が作用する。第１突出部及び第２突出部のうち一方にのみ圧縮スプリングがある場合について例示的に説明すると、第１軸受部又は第２軸受部に対応させてそれぞれ第１突出部又は第２突出部を同軸上で位置させ、圧縮スプリングの無い他方の突出部をこれに対する軸受部に先に軸支させた後、一方の突出部の圧縮スプリングから外力を除くべく指を離すと、当該一方の突出部は、圧縮スプリングの弾撥力により突出方向に移動して元の突出した状態に戻り、対応する第１凹部に収まる。
【００２６】
このようにして、第１軸受部及び第２軸受部内にそれぞれ第１突出部及び第２突出部を保持する。この結果、基盤収納ケースは、第１軸受部及び第２軸受部にそれぞれ保持されている第１突出部及び第２突出部を回動軸とするので、保持基盤収納ケースは遊技盤に対して既述のように自在に回動できるようになる。
【発明の効果】
【００２７】
本発明によれば、メンテナンス作業者が、基盤収納ケースの裏側を容易に確認することができるため、基盤収納ケースに収納されている制御基盤その他の収納物に不正がされているか否かを確認し易い。
【００２８】
また、複数の第１突出部及び前記複数の第２突出部は、それらが軸支される前記各軸受部に比べ、許容以上に外力が掛かると破壊され易いので、不正行為による大きな力が加わると、第１軸受部及び第２軸受部とそれぞれ軸支関係にある第１突出部及び第２突出部が、基盤収納ケースの他の部位よりも先に破壊される。破壊状態は容易に視認できるため、不正行為を見つけ易い。
【発明を実施するための最良の形態】
【００２９】
以下、本発明の基盤収納ケースについて図面を参照しながら詳述する。
図１に示すように、パチンコ遊技機１は、遊技機本体２と、遊技機本体２をホールその他の遊技場における所定のブース（いわゆる島台）に取り付けるための外枠３とからなる。
【００３０】
遊技機本体２は、外枠３の前側に位置し、遊技機本体２の構造体の一部である枠材として遊技機本体２を囲繞する前枠４に球受皿扉５，遊技釘（図示せず）が打たれかつ絵が描かれたセルシートが表側に貼付された遊技盤６，遊技盤６を覆うガラスが配置されるガラス窓付き扉８，球受皿１３，打球を発射するためのハンドル１６，最下部に位置する化粧板２６，遊技盤６の裏側に位置しアウト球やセーフ球等遊技球の処理を行う図示しない遊技球処理機構，左右一対のスピーカー装置２９その他の遊技構成部材から構成される。
【００３１】
また、外枠３に対し前枠４及びガラス窓付き扉８は、開閉金具２７を用いてつながっている。そして、遊技盤６の裏側に取り付けられている遊技球処理機構部が球詰まりした場合やパチンコ遊技機１のメンテナンスを行う場合、その他必要な時に遊技機本体２が前枠４を介して開閉金具２７により回動され、外枠３の枠外に位置するようになる（図２参照）。図２は基盤収納ケース３０を遊技盤６の裏面６ａに取り付けた状態をパチンコ遊技機１を開いて示す斜視図である。図２の状態をパチンコ遊技機１が開かれた状態といい、逆方向に回動し、図１のように遊技機本体２を外枠３に固定することをパチンコ遊技機１が閉じられた状態という。
【００３２】
そして、本発明に係る基盤収納ケース３０は、遊技盤６の裏面６ａに取り付けられる。
基盤収納ケース３０は、その中にパチンコ遊技機１の遊技内容を制御するプログラムが記憶されたＲＯＭ（Ｒｅａｄ  Ｏｎｌｙ  Ｍｅｍｏｒｙ）を実装した主制御基盤３１を包蔵し、かつ透明なプラスチックにより中空の直方体形状に形成されている。
【００３３】
また、基盤収納ケース３０は、一方にのみ開口し、当該開口（図示せず）から主制御基盤３１が入れられるケース本体３２と、ケース本体３２の前記開口をヒンジ３３によって開閉自在に覆う蓋３４とを有する（図３参照）。蓋３４及び遊技盤６の裏面６ａには、基盤収納ケース３０を遊技盤６の裏面６ａに固定する固定手段３６が設けられている。
【００３４】
固定手段３６は、蓋３４に設けられ固定穴３６１ａを有する固定用片３６１と遊技盤６の裏面６ａに設けられ、固定片３６１を支持する固定台３６２と、特殊螺子３６４とからなる。固定台３６２には、固定穴３６１ａと同軸の螺穴３６２ａが形成されている。基盤収納ケース３０の蓋３４を閉じた状態で特殊螺子３６４を固定台３６２の上に固定片３６１を宛がい、その後、固定片３６１の固定穴３６１ａに特殊螺子３６４を通した状態で固定台３６２の螺穴３６２ａに螺合する。特殊螺子３６４は図示しない専用の工具で無ければ使用できない。特殊螺子については周知であるから説明は省略する。
【００３５】
基盤収納ケース３０を遊技盤６に取り付けたときに、蓋３４がパチンコ遊技機１の後方を向くように基盤収納ケース３０は遊技盤６の裏面６ａに平行に取り付けられる。また、遊技盤６に取り付けられた基盤収納ケース３０は、遊技盤６に対して回動自在にされている。そのため回動軸４０が基盤収納ケース３０には設けられ、遊技盤６の裏面６ａにはこの回動軸４０を軸支する軸受部５０が設けられている。
【００３６】
回動軸４０は、図４に示すように、ケース本体３２の一側面３２ａの端に設けられた複数の第１軸部４１のうちの一つと、前記一側面３２ａの対向面３２ｂに設けられた複数の第２軸部４２のうちの一つとからなる。基盤収納ケース３０を遊技盤６に取り付けた状態において、第１軸部４１は、ケース本体３２の上部に位置し、第２軸部４２は、同下部に位置するようになる。
【００３７】
このため、第１軸部４１を上軸部４１と呼称し、第２軸部４２を下軸部４２と呼称することにする。また第１軸部４１及び第２軸部４２が、それぞれケース本体３２の一側面３２ａ及び一側面３２ａの対向面３２ｂに設けられことで、両軸部は対向状態となる。
【００３８】
上軸部４１及び下軸部４２はそれぞれ３本ある。そして、各３本の上軸部４１及び下軸部４２は、それぞれ対向する他方の軸部と同軸上に位置する。さらに両軸部４１，４２は、それらが設けられている前記一側面３２ａ及び対向面３２ｂにおいて反対方向に突出した状態で取り付けられ、かつ各３本が対の関係にある。
【００３９】
上軸部４１は、ケース本体３２に一体成形されたパイプ体であり、下軸部４２はケース本体３２の前記対向面３２ｂに設けられた凹部３２１に介装される圧縮スプリング７０（弾性部材）が一端に取り付けられ、かつ基盤収納ケース３０とは別体に形成されたスプリング付きのパイプ体である。この実施形態では下軸部４２は上軸部４１よりも長くされている。
【００４０】
なお、各３本ある上軸部４１及び下軸部４２を区別するため、上軸部４１の３本にあっては符号４１にアルファベットのａ，ｂ，ｃを付け、下軸部４２の３本にあっても符号４２にアルファベットのａ，ｂ，ｃを付け、それぞれ符号４１ａ〜４１ｃ及び符号４２ａ〜４２ｃで示す。符号４１及び４２はそれらを総称する場合に使用する。
【００４１】
図４〜６からわかるように、上軸部４１ａ及び下軸部４２ａは、それらを用いて遊技盤６に基盤収納ケース３０を取り付けた際に基盤収納ケース３０が遊技盤６に最も離れ（図４参照）、上軸部４１ｃ及び下軸部４２ｃは、それらを用いて遊技盤６に基盤収納ケース３０を取り付けた際に基盤収納ケース３０が遊技盤６から最も接近する（図５参照）。そして上軸部４１ｂ及び下軸部４２ｂで基盤収納ケース３０を遊技盤６に取り付けたとき、基盤収納ケース３０は、図６に示すように、図４及び図５でそれぞれ示された基盤収納ケース３０の設置位置の中間の位置となる（図６参照）。
【００４２】
図４及び図５からわかるように、前者の場合、基盤収納ケース３０が遊技盤６から離れている距離をＺ１とし（図４参照）、後者のそれをＺ３とすると（図５参照）、上軸部４１ｂ及び下軸部４２ｂを用いて基盤収納ケース３０を遊技盤６に取り付けた際に基盤収納ケース３０が遊技盤６の裏面６ａから離れている距離は、距離Ｚ１よりも短く距離Ｚ３よりも長い距離Ｚ２になる（図６参照）。
また、軸部同士の間の間隔を符号Ａで示し、基盤収納ケース３０の幅寸法を符号Ｙで示す（図４参照）。
【００４３】
軸受部５０は、図２，３からわかるように、上軸部４１を軸支する第１軸受部５１と、下軸部４２を軸支する第２軸受部５２とからなり、共にパチンコ遊技機１の幅方向に延びるブロック体形状をしている。
【００４４】
第１軸受部５１は、遊技盤６の裏面６ａの上部左側に設けられ、第２軸受部５２は、第１軸受部５１の下部に同軸上に設けられている。このため、第１軸受部５１を上方軸受部５１と呼称し、第２軸受部５２を下方軸受部５２と呼称することにする。また、上方軸受部５１及び下方軸受部５２は、接着剤や木螺子その他の結合手段により遊技盤６に固定されたり、遊技盤６の一部として一体成形により形成されたりする。
【００４５】
上方軸受部５１には、基盤収納ケース３０の上軸部４１が挿入される上方軸受穴５１１が設けられ（図４〜６参照）、下方軸受部５２には基盤収納ケース３０の下軸部４２が挿入される下方軸受穴５２１が設けられている（図３〜６参照）。上方軸受穴５１１と下方軸受穴５２１とは同軸上にある。上方軸受穴５１１及び下方軸受穴５２１の遊技盤６の裏面６ａからの距離を符号Ｘで示す（図４参照）。
【００４６】
そして上方軸受部５１と下方軸受部５２との間の間隔Ｌ１は（図４，７参照）、基盤収納ケース３０の下軸部４２をスプリング７０の弾発力に抗して凹部３２１に一杯に入れたときに上軸部４１の先端と下軸部４２の先端との間の寸法Ｌ２よりも幾分小さくされている（図４，７参照）。
【００４７】
また、上軸部４１及び下軸部４２をそれぞれ上方軸受穴５１１及び下方軸受部５２に入れた時に、下軸部４２の基端部が下方軸受穴５２１内に入るようにされ（（図４〜７参照）、上方軸受穴５１１及び下方軸受穴５２１にそれぞれ上軸部４１ａ及び下軸部４２ａを入れたときに上方軸受穴５１１に隙間ｓができるように、圧縮スプリング７０の弾性、上軸部４１及び下軸部４２の各長さ寸法、上方軸受穴５１１及び下方軸受穴５２１の深さ寸法、既述した上方軸受部５１と下方軸受部５２との間の間隔Ｌ１及び上軸部４１の先端と下軸部４２の先端との間の寸法Ｌ２が定められている。
【００４８】
さらに、上方軸受穴５１１及び下方軸受穴５２１にそれぞれ上軸部４１ａ及び下軸部４２ａを入れて基盤収納ケース３０を回動自在に軸支したときにおいて、図４に示すように、上方軸受穴５１１から上方軸受部５１の自由側端面５１２までの距離Ｂ及び下方軸受穴５１１から下方軸受部５２の自由側端面５２２までの距離Ｂ（図４では上軸部４１ａの上
方軸受部５１の自由側端面５１２までの距離Ｂのみ示す。）は、前記した軸部同士の間の間隔Ａよりも小さい。
【００４９】
加えて、既述した符号Ａ，Ｂ，Ｘ，Ｙ，Ｚで示す各寸法が以下の条件を満たすことで、基盤収納ケース３０を遊技盤６に対して回動させることができる。なおＺはＺ１〜Ｚ３の総称である。
【００５０】
Ａ＞Ｂ・・・・・・・・・・・・・（１式）
Ｘ＞Ｙ＋Ｚ・・・・・・・・・・・（２式）
Ｘ＞Ｙ・・・・・・・・・・・・・（３式）
また、上軸部４１及び下軸部４２は、軸受部５０に比べ、外力が許容以上に掛かると破壊され易くされている。例えば、上軸部４１及び下軸部４２は、それぞれ上方軸受部５１及び下方軸受部５２との比較上、破壊され易い材質でできていることが好ましい。
【００５１】
詳しくは上軸部４１及び下軸部４２の材質は、上方軸受部５１及び下方軸受部５２の材質よりも、せん断強さの値乃至アイゾット衝撃強さの値で低いものが好適である。具体的には、上軸部４１及び下軸部４２の材質としてＡＢＳやポリエチレを例示でき、上方軸受部５１及び下方軸受部５２の材質としてポリカーボネイトを例示できる。
【００５２】
さらに材質によらずに上軸部４１及び下軸部４２の形状を工夫することによって、破壊され易くしてもよい。例えば、図８に示すように、上軸部４１及び下軸部４２を中空円筒体形状にする代わりに、外周面に切欠き溝４３を有する棒状体４１Ａ（４２Ａ）にすることが考えられる。当該切欠き溝４３により上軸部４１及び下軸部４２に外力が加わったときに棒状体４１Ａ（４２Ａ）に集中応力を生じ易くなる。
【００５３】
次に基盤収納ケース３０を遊技盤６の裏面６ａへの取付け方について述べる。
上軸部４１及び下軸部４２を、それぞれ上方軸受部５１及び下方軸受部５２に軸支するには、下軸部４２を指で押圧することで下軸部４２に設けられている圧縮スプリング７０を圧縮する。その場合、圧縮スプリング７０にはその弾発力を生じ、指には下軸部４２を介して前記押圧力に対する反力が作用する（図７ａの矢印Ａ参照）。
【００５４】
その状態を維持したまま、遊技盤６の上方軸受部５１と下方軸受部５２との間に向けて基盤収納ケース３０を持って行く。そして、両軸受部５１，５２の間に基盤収納ケース３０を入れるため基盤収納ケース３０の上軸部４１を遊技盤６側に若干倒し、その状態で上軸部４１を上方軸受穴５１１に入れる。この時、まだ下軸部４２を指で押さえたままとし、その状態を維持して下軸部４２の先端を下方軸受部５２に引っかける（図７ｂ参照）。
【００５５】
指による下軸部４２の押さえは外す。下軸部４２を下方軸受部５２上（下方軸受穴５２１が開口する面）において下方軸受穴５２１に向けてスライドし、下軸部４２を下方軸受部５２に挿入する（図７ｃ参照）。
【００５６】
上方軸受部５１と下方軸受部５２との間の間隔Ｌ１は、既述のように下軸部４２をスプリング７０の弾発力に抗して基盤収納ケース３０の対向面３２ｂに設けられた凹部３２１に一杯に入れたときに上軸部４１の先端と下軸部４２の先端との間の寸法Ｌ２よりも幾分小さくされているが、両者の寸法差は、基盤収納ケース３０を上方軸受部５１と下方軸受部５２との間に入れるにあたり、基盤収納ケース３０を少しの力で押し入れれば入る程度の寸法差とされている。
【００５７】
上軸部４１を上方軸受穴５１１に入れ下軸部４２を下方軸受穴５２１に入れると、下軸部４２はスプリング７０の弾発力で下軸部４２を下方軸受穴５２１に瞬時に入る。そして
下軸部４２の基端部が下方軸受穴５２１内に入るようにされているので、下軸部４２と下方軸受部５２との嵌合状態は維持される。
【００５８】
また、上軸部４１と下軸部４２とは同軸上にあり、上方軸受穴５１１と下方軸受部５２も同軸上にある。したがって、上方軸受穴５１１に嵌合された上軸部４１と、下方軸受部５２に嵌合された下軸部４２とは同軸に位置されて、基盤収納ケース３０の回動軸４０として実際に機能するようになる。
【００５９】
上方軸受部５１又は下方軸受部５２にそれぞれ上軸部４１又は下軸部４２を同軸上で位置させ、他方の突出部をこれに対する軸受部に先に軸支させた後、一方の突出部の圧縮スプリング７０から外力を除くべく指を離すと、当該一方の突出部は、圧縮スプリング７０の弾撥力により突出方向に移動して元の突出した状態に戻り、対応する第１凹部に収まる。
【００６０】
このようにして、上方軸受部５１及び下方軸受部５２内にそれぞれ上軸部４１及び下軸部４２を保持する。この結果、基盤収納ケース３０は、上方軸受部５１及び下方軸受部５２にそれぞれ保持されている上軸部４１及び下軸部４２を回動軸として、保持基盤収納ケース３０は遊技盤に対して既述のように自在に回動できるようになる。なお、基盤収納ケース３０を上部軸受部５１及び下方軸受部５２に取り付けたときに基盤収納ケース３０の重量に各軸受部が十分耐えられる強度に設計されているのはいうまでもない。
【００６１】
次にこのような構成の基盤収納ケース３０を備えたパチンコ遊技機１の作用効果を述べる。
パチンコ遊技機１にあっては、基盤収納ケース３０の一つの上部突出部４１ａ及び一つの下部突出部４２ａをそれぞれ上方軸受部５１及び下方軸受部５２で軸支されてなる回動軸４０を有するので、固定手段３６による固定を解除すると、基盤収納ケース３０は、回動軸４０を中心に遊技盤６の裏面６ａにて自在に回動することができる。但し、通常は固定手段３６により基盤収納ケース３０は固定されているので回動しない。
【００６２】
固定手段３６による固定を解除するときとは、主制御基板３１に対する不正行為の有無を確認したり、メンテナンスを行う場合であるが、その場合は、専用工具を用いて特殊螺子３６４を緩め、基盤収納ケース３０の固定状態を解除する。
【００６３】
固定状態を解除したら、上方軸受部５１に軸支されている上軸部４１及び、下方軸受部５２に軸支されている下軸部４２を回動軸として、基盤収納ケース３０が、遊技機内部の遊技盤６の裏面６ａを起点としてそこから回動できるようになる。
【００６４】
したがって、メンテナンス作業者が基盤収納ケース３０を回動するだけの簡単な操作を行うだけで、主制御基板３１の裏側であっても見ることができる（図２参照）。このため、不正行為の有無を容易に確認できる。なお確認のし易さは基盤収納ケース３０が透明であることも作用する。
【００６５】
また、上軸部４１や下軸部４２が破壊されたとしても、これらはそれぞれ複数対あるため、破壊されていない別の対関係にある上軸部４１及び下部４２を利用すれば、基盤収納ケース３０を遊技盤の裏面に再度取り付けることができ、基盤収納ケース３０の再利用を図れる（図４〜６参照）。換言すると対の関係にある上軸部４１及び下軸部４２が少なくとも一対残っており、かつケース本体３２も破壊されていなければ、基盤収納ケース３０を新しいものに取り替える必要がなく、継続して利用することができる。したがって、メンテナンス費用を安く抑えることができる。
【００６６】
さらに、上軸部４１及び下軸部４２が対になって複数対設けられているので、対の関係にない上軸部４１又は下軸部４２を数えれば、不正行為の実行回数もわかる。反対に対の関係にある上軸部４１又は下軸部４２を数えれば、再利用可能回数がわかる。
【００６７】
加えて破壊された突出部の多寡により、不正行為が行われ易い遊技機であるか否かを推測できる。
【００６８】
また、大きな外力が加えられた場合、上方軸受部５１及び下方軸受部５２は破壊されずに上軸部４１及び前記複数の下軸部４２のみが破壊されるようになっているので、上方軸受部５１及び下方軸受部５２の再利用することができる。
【００６９】
図９は、大きな外力が加わった場合に下軸部４２が破壊された場合の一例である。
図９ａのように外力Ｆが掛かると、同図ｂのように、圧縮スプリング７０が延びてしまったり、外力がもっと大きかったり負荷の掛かる場所によっては、同図ｃのように、上軸部４１１や下軸部４２（図９では下軸部４２）が切欠き溝４３で破壊されてしまう。
【００７０】
さらに、基盤収納ケースは、パチンコ遊技機への適用に限定されるものではなく、パチスロやアレンジ式パチンコ機その他の遊技媒体を用いた遊技機にも適用可能である。
【００７１】
さらにまた、この実施形態では、上軸部４１は、ケース本体３２に一体成形されたパイプ体であったが、下軸部４２と同様、圧縮スプリング７０を有するスプリング付きのパイプ体であってもよい。
【図面の簡単な説明】
【００７２】
【図１】本発明の基板収納ケースが適用されたパチンコ遊技機の斜視図である。
【図２】図１のパチンコ遊技機において、遊技機を開いて遊技盤の裏面を示す一部省略斜視図である。
【図３】本発明の基盤収納ケースを遊技盤に取り付ける前の状態を示す斜視図である。
【図４】図２のＩＶ−ＩＶ線に沿った概略断面図であって、基盤収納ケースが遊技盤に一番遠い箇所になるように基盤収納ケースを遊技盤に取り付けた状態を示す図である。
【図５】図４と同様の断面図であって、基盤収納ケースが遊技盤に一番近い箇所になるように基盤収納ケースを遊技盤に取り付けた状態を示す図である。
【図６】図４と同様の断面図であって、基盤収納ケースを図４及び図５の中間位置で遊技盤に取り付けた状態を示す図である。
【図７】本発明の基盤収納ケースを遊技盤に取り付ける手順を示し、（ａ）図は下軸部を指で押さえて軸受部に取り付ける前の状態を示し、（ｂ）図は（ａ）図の状態で上軸部を上方軸受部に取り付けて下軸部を下方軸受部１に取り付ける直前の状態を示し、（ｃ）図は下軸部の下方軸受部１への取付けが終了し、これにより基盤収納ケースが遊技盤に取り付けられた状態示す図である。
【図８】軸部の変形例を示す図である。
【図９】大きな外力が作用して下軸部が破壊されることを説明するための図である。
【符号の説明】
【００７３】
１  パチンコ遊技機（遊技機）
２  遊技機本体
３  外枠
４  前枠
５  球受皿扉
６  遊技盤
６ａ  裏面（遊技機内部の所定位置）
８  ガラス窓付き扉
１３  球受皿
２６  化粧板
２７  開閉金具
２９  スピーカー装置
３０  基盤収納ケース（遊技機用回路基盤収納ケース）
３１  主制御基盤
３２  ケース本体
３２ａ  基盤収納ケースの一側面
３２ｂ  一側面に対向する面
３３  ヒンジ
３４  蓋
３６  固定手段
４０  回動軸
４１  上軸部（上軸部の総称）
４１ａ  上軸部
４１ｂ  上軸部
４１ｃ  上軸部
４１Ａ（４２Ａ）  棒状体
４２  下軸部（下軸部の総称，基盤収納ケースとは別体に形成された軸体）
４２ａ  下軸部
４２ｂ  下軸部
４２ｃ  下軸部
４３  棒状体に形成された切欠き溝
５０  軸受部
５１  上方軸受部（第１支持部）
５２  下方軸受部（第２支持部）
７０  圧縮スプリング（弾性部材）
３２１  ケース本体に設けられた凹部
３６１  固定用片
３６１ａ  固定穴
３６２  固定台
３６４  特殊螺子
３６２ａ  螺穴
５１１  上方軸受穴
５１２  上方軸受部の自由側端面
５２１  下方軸受穴
５２２  下方軸受部の端面
Ａ  軸部同士の間の間隔
Ｂ  上方軸受部の端面までの距離
Ｌ１  上方軸受部と下方軸受部１との間の間隔
Ｌ２  上軸部の先端と下軸部の先端との間の寸法
Ａ  反力の作用する方向を示す矢印
Ｘ  下方軸受穴及び下方軸受穴の遊技盤裏面からの距離
Ｙ  基盤収納ケースの幅寸法
Ｚ（Ｚ１，Ｚ２，Ｚ３）  基盤収納ケースが遊技盤から離れている距離
ｓ  基盤収納ケースを遊技盤に取り付けたときに下方軸受穴にできる隙間
【図１】
2008148724.tif 000003
【図２】
2008148724.tif 000004
【図３】
2008148724.tif 000005
【図４】
2008148724.tif 000006
【図５】
2008148724.tif 000007
【図６】
2008148724.tif 000008
【図７】
2008148724.tif 000009
【図８】
2008148724.tif 000010
【図９】
2008148724.tif 000011